(57)【要約】【課題】  簡単かつ安価にＣＰＣ型反射板を保持フレームに取り付けうるＣＰＣ型反射板の取付構造を提供する。【解決手段】  複数のＣＰＣ型反射板２を並べて一体化することにより反射板ユニット５を形成する。反射板ユニット５の両端のＣＰＣ型反射板２に、それぞれ１つの脚部６を設ける。保持フレーム４に保持部材17を固定する。保持部材17に、その長さ方向に両脚部６間の間隔以下の間隔をおいて両脚部６が嵌め入れられる２つの切り欠き18を形成する。各脚部６に、他の脚部６側に突出するように凸状係合部７を形成する。両切り欠き18の側縁に、脚部６の凸状係合部７が嵌る凹状係合部19を形成する。反射板ユニット５のＣＰＣ型反射板２の脚部６を保持部材17の切り欠き18内に嵌め入れて係合部7、19どうしを係合させる。【選択図】      図２
2005114342.tif 000002
【特許請求の範囲】
【請求項１】
複合放物面集光型反射板を保持フレームに取り付ける取付構造であって、保持フレームに保持部材が固定され、保持部材に上方に開口した切り欠きが形成され、複合放物面集光型反射板の下面に下方に突出し、かつ保持部材の切り欠き内に嵌め入れられる脚部が設けられ、保持部材の切り欠きの側縁と複合放物面集光型反射板の脚部とに、それぞれ互いに係合する係合部が設けられ、複合放物面集光型反射板の脚部が保持部材の切り欠き内に嵌め入れられて係合部どうしが係合している複合放物面集光型反射板の取付構造。
【請求項２】
脚部の先端部に凸状係合部が形成され、保持部材の切り欠きの側縁に凸状係合部が嵌る凹状係合部が形成されている請求項１記載の複合放物面集光型反射板の取付構造。
【請求項３】
複数の複合放物面集光型反射板が幅方向に並べられて一体化されることにより反射板ユニットが形成され、少なくとも１つの複合放物面集光型反射板に脚部が設けられている請求項１または２記載の複合放物面集光型反射板の取付構造。
【請求項４】
反射板ユニットの両端の複合放物面集光型反射板に、それぞれ１つの脚部が設けられ、保持部材に、その長さ方向に両脚部間の間隔以下の間隔をおいて両脚部が嵌め入れられる２つの切り欠きが形成され、各脚部に、他の脚部側に突出するように凸状係合部が形成され、両切り欠きにおける左右方向内方の側縁に、脚部の凸状係合部が嵌る凹状係合部が形成されている請求項３記載の複合放物面集光型反射板の取付構造。
【請求項５】
複合放物面集光型反射板と脚部とが一体に押出成形されている請求項１〜４のうちのいずれかに記載の複合放物面集光型反射板の取付構造。
【請求項６】
保持フレーム内に複数の複合放物面集光型反射板が幅方向に並んで配置され、各複合放物面集光型反射板内に流体流通管が配置され、各流体流通管の両端部が保持フレーム内に配置されたヘッダに接続され、保持フレームの上端開口が透光板で閉鎖されるとともに下端開口が底板で閉鎖され、複合放物面集光型反射板と底板との間に断熱材が配置されており、複合放物面集光型反射板が、請求項１〜５のうちのいずれかに記載された取付構造で保持フレームに取り付けられている太陽熱集熱器。
【請求項７】
複数の複合放物面集光型反射板が幅方向に並べられて一体化されることにより反射板ユニットが形成され、保持フレーム内に複数の反射板ユニットが並べられている請求項６記載の太陽熱集熱器。
【請求項８】
隣り合う２つの反射板ユニットの左側反射板ユニットにおける右端の複合放物面集光型反射板の右側縁部、および右側反射板ユニットにおける左端の複合放物面集光型反射板の左側縁部のうちいずれか一方に、両側縁部間の隙間を遮蔽する遮蔽部が形成されている請求項６または７記載の太陽熱集熱器。
【請求項９】
請求項６〜８のうちのいずれかに記載された太陽熱集熱器の流体流通管に流体を流し、この流体を、複合放物面集光型反射板により反射した太陽光によって加熱する太陽熱集熱器の運転方法。
【請求項１０】
保持フレーム内に複数の複合放物面集光型反射板が幅方向に並んで配置され、各複合放物面集光型反射板内に流体流通管が配置され、各流体流通管の両端部が保持フレーム内に配置されたヘッダに接続され、保持フレームの上端開口が赤外線透過体により閉鎖されるとともに同下端開口が底板により閉鎖されており、複合放物面集光型反射板が、請求項１〜５のうちのいずれかに記載された取付構造で保持フレームに取り付けられている放射冷却器。
【請求項１１】
複数の複合放物面集光型反射板が幅方向に並べられて一体化されることにより反射板ユニットが形成され、保持フレーム内に複数の反射板ユニットが並べられている請求項１０記載の放射冷却器。
【請求項１２】
隣り合う２つの反射板ユニットの左側反射板ユニットにおける右端の複合放物面集光型反射板の右側縁部、および右側反射板ユニットにおける左端の複合放物面集光型反射板の左側縁部のうちいずれか一方に、両側縁部間の隙間を遮蔽する遮蔽部が形成されている請求項１０または１１記載の放射冷却器。
【請求項１３】
複合放物面集光型反射板と底板との間に断熱材が配置されている請求項１０〜１２のうちのいずれかに記載の放射冷却器。
【請求項１４】
請求項１０〜１２のうちのいずれかに記載された放射冷却器の流体流通管に外気温よりも高温の流体を流し、この高温流体の有する熱を複合放物面集光型反射板により放射することによって高温流体を冷却する放射冷却器の運転方法。
【請求項１５】
請求項１３に記載された放射冷却器の流体流通管に流体を流し、この流体の有する熱を複合放物面集光型反射板により放射することによって流体を冷却する放射冷却器の運転方法。
【発明の詳細な説明】
【技術分野】
【０００１】
この発明は、複合放物面集光型反射板の取付構造、太陽熱集熱器、太陽熱集熱器の運転方法、放射冷却器および放射冷却器の運転方法に関する。
【０００２】
この明細書および特許請求の範囲において、図２の上下、左右をそれぞれ上下、左右というものとする。
【背景技術】
【０００３】
従来、昼間において、クリーンエネルギである太陽光エネルギを熱に変え、この熱により水、不凍液などの流体を加熱する太陽熱集熱器や、これとは逆に、夜間において、水、不凍液などの流体を放射冷却する放射冷却器が知られている。
【０００４】
太陽熱集熱器として、上壁がガラス板からなる中空箱状ケーシングと、ケーシング内に配置された複数の複合放物面集光（Ｃｏｍｐｏｕｎｄ  Ｐａｒａｂｏｌｉｃ  Ｃｏｎｃｅｎｔｒａｔｏｒ）型反射板（以下、ＣＰＣ型反射板と称する）と、反射板内に配置された流体流通管とを備えたものが知られている（たとえば、特許文献１参照）。この太陽熱集熱器において、ケーシングへのＣＰＣ型反射板の取付は、樹脂製断熱材に形成された樋状溝内にＣＰＣ型反射板を嵌め込み、ＣＰＣ型反射板の両側縁部を、断熱材における樋状溝の両側面の上縁に形成された凸条に係合させることによって行われている。
【０００５】
しかしながら、特許文献１記載の太陽熱集熱器においては、ＣＰＣ型反射板の保持強度を大きくするためには、凸条の肉厚を大きくしなければならず、その結果凸条が太陽光を遮って反射板に影ができ、集光効率が低下するという問題がある。また、断熱材の材料コストおよび製造コストが高くなるという問題がある。
【０００６】
そこで、集光効率の低下を防止した太陽熱集熱器として、上壁がガラス板からなる中空箱状ケーシングと、ケーシング内に配置された複数のＣＰＣ型反射板と、反射板内に配置された流体流通管とを備えており、ＣＰＣ型反射板が樹脂製断熱材に形成された樋状溝内に嵌め込まれ、ＣＰＣ型反射板の両側縁部が、断熱材に取り付けられた抜け止め部材に形成された突起に係合させられ、これによりＣＰＣ型反射板がケーシングに取り付けられているものが提案されている（たとえば、特許文献２参照）。
【０００７】
しかしながら、特許文献２記載の太陽熱集熱器においては、断熱材とは別個に抜け止め部材を必要とするので、部品点数が多くなるという問題がある。また、断熱材の材料コストおよび製造コストが高くなるという問題がある。
【０００８】
さらに、特許文献１および２記載の太陽熱集熱器においては、ＣＰＣ型反射板を１枚ずつ断熱材の樋状溝内に嵌め込む必要があるので、その作業に手間がかかるという問題がある。特に、太陽熱集熱器を薄型化するとともに、集熱性能を向上させるためには、ＣＰＣ型反射板を小型化することが好ましいが、この場合、ＣＰＣ型反射板の数が多くなり、ＣＰＣ型反射板を１枚ずつ断熱材の樋状溝内に嵌め込む作業が一層面倒になる。
【０００９】
一方、放射冷却器として、上端開口が、赤外線透過性を有するカバーフィルムで覆われたケーシング内に配置された複数のＣＰＣ型反射板と、反射板内に配置された流体流通管とを備えたものが知られている（たとえば、特許文献３参照）。
【００１０】
しかしながら、特許文献３には、ＣＰＣ型反射板のケーシング内への取付構造については、全く記載されていない。
【特許文献１】特開２００２−２２８２７１号公報
【特許文献２】特開２００３−５００５７号公報
【特許文献３】特開２００２−１７４４６１号公報
【発明の開示】
【発明が解決しようとする課題】
【００１１】
この発明の目的は、上記問題を解決し、簡単かつ安価にＣＰＣ型反射板を保持フレームに取り付けうるＣＰＣ型反射板の取付構造を提供することにある。
【課題を解決するための手段】
【００１２】
1)ＣＰＣ型反射板を保持フレームに取り付ける取付構造であって、保持フレームに保持部材が固定され、保持部材に上方に開口した切り欠きが形成され、ＣＰＣ型反射板の下面に下方に突出し、かつ保持部材の切り欠き内に嵌め入れられる脚部が設けられ、保持部材の切り欠きの側縁とＣＰＣ型反射板の脚部とに、それぞれ互いに係合する係合部が設けられ、ＣＰＣ型反射板の脚部が保持部材の切り欠き内に嵌め入れられて係合部どうしが係合しているＣＰＣ型反射板の取付構造。
【００１３】
2)脚部の先端部に凸状係合部が形成され、保持部材の切り欠きの側縁に凸状係合部が嵌る凹状係合部が形成されている上記1)記載のＣＰＣ型反射板の取付構造。
【００１４】
3)複数のＣＰＣ型反射板が幅方向に並べられて一体化されることにより反射板ユニットが形成され、少なくとも１つのＣＰＣ型反射板に脚部が設けられている上記1)または2)記載のＣＰＣ型反射板の取付構造。
【００１５】
4)反射板ユニットの両端のＣＰＣ型反射板に、それぞれ１つの脚部が設けられ、保持部材に、その長さ方向に両脚部間の間隔以下の間隔をおいて両脚部が嵌め入れられる２つの切り欠きが形成され、各脚部に、他の脚部側に突出するように凸状係合部が形成され、両切り欠きにおける左右方向内方の側縁に、脚部の凸状係合部が嵌る凹状係合部が形成されている上記3)記載のＣＰＣ型反射板の取付構造。
【００１６】
5)ＣＰＣ型反射板と脚部とが一体に押出成形されている上記1)〜4)のうちのいずれかに記載のＣＰＣ型反射板の取付構造。
【００１７】
6)保持フレーム内に複数のＣＰＣ型反射板が幅方向に並んで配置され、各ＣＰＣ型反射板内に流体流通管が配置され、各流体流通管の両端部が保持フレーム内に配置されたヘッダに接続され、保持フレームの上端開口が透光板で閉鎖されるとともに下端開口が底板で閉鎖され、ＣＰＣ型反射板と底板との間に断熱材が配置されており、ＣＰＣ型反射板が、上記1)〜5)のうちのいずれかに記載された取付構造で保持フレームに取り付けられている太陽熱集熱器。
【００１８】
7)複数のＣＰＣ型反射板が幅方向に並べられて一体化されることにより反射板ユニットが形成され、保持フレーム内に複数の反射板ユニットが並べられている上記6)記載の太陽熱集熱器。
【００１９】
8)隣り合う２つの反射板ユニットの左側反射板ユニットにおける右端のＣＰＣ型反射板の右側縁部、および右側反射板ユニットにおける左端のＣＰＣ型反射板の左側縁部のうちいずれか一方に、両側縁部間の隙間を隠す遮蔽部が形成されている上記6)または7)記載の太陽熱集熱器。
【００２０】
9)上記6)〜8)のうちのいずれかに記載された太陽熱集熱器の流体流通管に流体を流し、この流体を、ＣＰＣ型反射板により反射した太陽光によって加熱する太陽熱集熱器の運転方法。
【００２１】
10)保持フレーム内に複数のＣＰＣ型反射板が幅方向に並んで配置され、各ＣＰＣ型反射板内に流体流通管が配置され、各流体流通管の両端部が保持フレーム内に配置されたヘッダに接続され、保持フレームの上下両端開口が開放しており、ＣＰＣ型反射板が、上記1)〜5)のうちのいずれかに記載された取付構造で保持フレームに取り付けられている放射冷却器。
【００２２】
11)複数のＣＰＣ型反射板が幅方向に並べられて一体化されることにより反射板ユニットが形成され、保持フレーム内に複数の反射板ユニットが並べられている上記10)記載の放射冷却器。
【００２３】
12)隣り合う２つの反射板ユニットの左側反射板ユニットにおける右端のＣＰＣ型反射板の右側縁部、および右側反射板ユニットにおける左端のＣＰＣ型反射板の左側縁部のうちいずれか一方に、両側縁部間の隙間を隠す遮蔽部が形成されている上記10)または11)記載の放射冷却器。
【００２４】
13)ＣＰＣ型反射板と底板との間に断熱材が配置されている上記10)〜12)のうちのいずれかに記載の放射冷却器。
【００２５】
14)上記10)〜12)のうちのいずれかに記載された放射冷却器の流体流通管に外気温よりも高温の流体を流し、この高温流体の有する熱をＣＰＣ型反射板により放射することによって高温流体を冷却する放射冷却器の運転方法。
【００２６】
15)上記13)に記載された放射冷却器の流体流通管に流体を流し、この流体の有する熱をＣＰＣ型反射板により放射することによって流体を冷却する放射冷却器の運転方法。
【発明の効果】
【００２７】
上記1)および2)のＣＰＣ型反射板の取付構造によれば、ＣＰＣ型反射板に設けられた脚部を保持部材の切り欠き内に嵌め入れて係合部どうしを係合させることによってＣＰＣ型反射板を保持フレームに取り付けることができるので、ＣＰＣ型反射板の保持フレームへの取付作業が簡単になる。また、特許文献１および２に記載されているような断熱材を形成する必要がないので、材料コストおよび製造コストが安価になる。さらに、ＣＰＣ型反射板上には影をつくるものがないので、集光効率および放射効率が向上する。
【００２８】
上記3)のＣＰＣ型反射板の取付構造によれば、複数のＣＰＣ型反射板が幅方向に並べられて一体化されることにより反射板ユニットが形成され、少なくとも１つのＣＰＣ型反射板に脚部が設けられているので、部品点数が少なくなるとともにＣＰＣ型反射板の取付作業が一層簡単になる。しかも、集光性能および放射性能を向上させるためにＣＰＣ型反射板を小型化した結果ＣＰＣ型反射板の数が増えた場合であっても、反射板ユニットを簡単に製造することができる。
【００２９】
上記4)のＣＰＣ型反射板の取付構造によれば、ＣＰＣ型反射板の保持フレームへの取付強度が増大する。
【００３０】
上記5)のＣＰＣ型反射板の取付構造によれば、集光および放射に最適な許容偏角を有するＣＰＣ型反射板および脚部を簡単に製造することができる。しかも、集光性能および放射性能を向上させるためにＣＰＣ型反射板を小型化した結果ＣＰＣ型反射板の数が増えた場合であっても、反射板ユニットを簡単に製造することができる。
【００３１】
上記6)の太陽熱集熱器によれば、ＣＰＣ型反射板上には影をつくるものがないので、集光効率が向上し、その結果流体流通管内を流れる流体を効率良く加熱することができる。また、簡単かつ安価に製造することができる。
【００３２】
上記7)の太陽熱集熱器によれば、ＣＰＣ型反射板の取付作業が一層簡単になり、より簡単かつ安価に製造することができる。
【００３３】
上記8)の太陽熱集熱器によれば、隣り合う反射板ユニット間の隙間が隠されるので、外観が優れたものになる。
【００３４】
上記10)の放射冷却器によれば、ＣＰＣ型反射板上には影をつくるものがないので、放射効率が向上し、その結果流体流通管内を流れる流体を効率良く冷却することができる。また、簡単かつ安価に製造することができる。
【００３５】
上記11)の放射冷却器によれば、ＣＰＣ型反射板の取付作業が一層簡単になり、より簡単かつ安価に製造することができる。
【００３６】
上記12)の放射冷却器によれば、隣り合う反射板ユニット間の隙間が隠されるので、外観が優れたものになる。
【発明を実施するための最良の形態】
【００３７】
以下、この発明の実施形態を、図面を参照して説明する。
【００３８】
なお、以下の説明において、「アルミニウム」という用語には、純アルミニウムの他にアルミニウム合金を含むものとする。また、図１の下側を前、上側を後というものとする。
【００３９】
図１および図２はＣＰＣ型反射板を備えた太陽熱集熱器を示し、図３はＣＰＣ型反射板の太陽熱集熱器の保持フレームへの取付構造を示す。
【００４０】
図１および図２において、太陽熱集熱器(1)は、複数のＣＰＣ型反射板(2)と、各ＣＰＣ型反射板(2)内に配置されかつ不凍液や水などの熱媒を流す流体流通管(3)と、ＣＰＣ型反射板(2)を保持する保持フレーム(4)とを備えている。
【００４１】
各ＣＰＣ型反射板(2)は、横断面において、両側部がそれぞれ同一形状の放物線状をなし、底部がインボリュート曲線状をなしている。ＣＰＣ型反射板(2)は、複数、ここでは３つのものが一体化されて反射板ユニット(5)が形成され、この反射板ユニット(5)が左右方向に複数並べられている。各反射板ユニット(5)における両端部のＣＰＣ型反射板(2)に、それぞれ下方に突出した脚部(6)が全長にわたって一体に形成されている。各反射板ユニット(5)の２つの脚部(6)の下端部に、それぞれ他の脚部(6)側に突出するように凸状係合部(7)が全長にわたって一体に形成されている。凸状係合部(7)は、ここでは横断面略円形である。反射板ユニット(5)を構成する複数のＣＰＣ型反射板(2)、脚部(6)および凸状係合部(7)は、たとえばアルミニウムにより一体に押出成形されている。
【００４２】
流体流通管(3)は熱伝導性に優れた金属、たとえば銅（銅合金も含む）からなり、ＣＰＣ型反射板(2)と接触しないようにＣＰＣ型反射板(2)内に配置されている。ここで、ＣＰＣ型反射板(2)の形状と流体流通管(3)の位置との関係は、ＣＰＣ型反射板(2)の開口から入射した太陽光が、最も効率よく流体流通管(3)に向けて反射されるような関係となされている。流体流通管(3)の前後両端部はＣＰＣ型反射板(2)の前後両端部よりも外側に突出しており、それぞれ左右方向に伸びるヘッダ管(8)に接続されている。両ヘッダ管(8)の両端部はそれぞれ保持フレーム(4)の外側に突出している。
【００４３】
保持フレーム(4)は、左右両端の反射板ユニット(5)よりも外側に配置されかつ前後方向に伸びる左右枠部材(9)と、前後のヘッダ管(8)の外側に配置されかつ左右方向に伸びる前後枠部材(11)とを備えており、その上端開口がたとえばガラスからなる透光板(12)により閉鎖され、同じく下端開口が金属たとえばアルミニウムからなる底板(13)により閉鎖されている。
【００４４】
左右枠部材(9)および前後枠部材(11)は、それぞれ横断面が略コ字形の金属製、たとえばアルミニウム押出形材製であり、その開口を内方に向けて配置されている。透光板(12)は、その周縁部が左右枠部材(9)および前後枠部材(11)の上フランジ部(9a)(11a)に載せられており、左右枠部材(9)および前後枠部材(11)のウェブ部(9b)にねじ止めされた金属製、たとえばアルミニウム押出形材製の押さえ部材(14)により上フランジ部(9a)(11a)に固定されている。なお、透光板(12)と上フランジ部(9a)(11a)および押さえ部材(14)との間にはガスケット(15)が介在させられている。底板(13)は、その周縁部が左右枠部材(9)および前後枠部材(11)の下フランジ部(9c)上に載せられ、下フランジ部(9c)にねじ止めされている。底板(13)とすべての反射板ユニット(5)との間には断熱材(16)が配置されている。
【００４５】
ＣＰＣ型反射板(2)は次のようにして保持フレーム(4)内に取り付けられている。保持フレーム(4)内に、左右方向に伸びる横断面略Ｌ字形の金属製、たとえばアルミニウム押出形材製の保持部材(17)が、前後方向に間隔をおいて複数配置されている。各保持部材(17)の左右両端部は、保持フレーム(4)における左右枠部材(9)の下フランジ部(9c)に載せられてねじ止めされている。
【００４６】
保持部材(17)の垂直壁(17a)には、反射板ユニット(5)の両脚部(6)間の間隔とほぼ等しくかつ上記間隔よりも若干小さい間隔をおいて複数、すなわち反射板ユニット(5)の数よりも１つ数の多い方形状切り欠き(18)が形成されている。隣り合う切り欠き(18)間の間隔は、反射板ユニット(5)の２つの脚部(6)間の間隔よりも小さく、かつ当該２つの脚部(6)の凸状係合部(7)間の間隔よりも大きくなっている。また、各切り欠き(18)の左右方向の幅は、隣り合う２つの反射板ユニット(5)の近接したＣＰＣ型反射板(2)の側縁どうしが接触した状態において、左側反射板ユニット(5)の右側脚部(6)の左側面と右側反射板ユニット(5)の左側脚部(6)の右側面との距離よりも大きく、かつ左側反射板ユニット(5)の右側脚部(6)における凸状係合部(7)の左端部と右側反射板ユニット(5)の左側脚部(6)における凸状係合部(7)の右端部との距離よりも小さくなっている。各切り欠き(18)の左右両側縁の下端部に、凸状係合部(7)が嵌る凹状係合部(19)が形成されている。
【００４７】
そして、図３に示すように、各反射板ユニット(5)の両脚部(6)を隣り合う２つの切り欠き(18)内に嵌め入れる。このとき、凸状係合部(7)と切り欠き(18)の側縁とが接触することにより両脚部(6)はそれぞれ左右方向外方に弾性変形し、凸状係合部(7)が凹状係合部(19)に至ったところで元の状態に戻り、凸状係合部(7)が凹状係合部(19)内に嵌って両者が係合する。こうして、各反射板ユニット(5)が保持部材(17)に取り付けられる。
【００４８】
上述した太陽熱集熱器(1)は、流体流通管(3)内に、水、不凍液などからなる流体が流され、この流体が、ＣＰＣ型反射板(2)により反射された太陽光によって加熱されるようになっている。
【００４９】
図４は太陽熱集熱器の他の実施形態を示す。
【００５０】
図４に示す太陽熱集熱器(20)の場合、隣り合う２つの反射板ユニット(5)の左側反射板ユニット(5)における右端のＣＰＣ型反射板(2)の右側縁部に、右側反射板ユニット(5)における左端のＣＰＣ型反射板(2)の左側縁部との間の隙間を遮蔽する遮蔽部(21)が、右方に突出するように全長にわたって一体に形成されている。右側反射板ユニット(5)における左端のＣＰＣ型反射板(2)の左側縁部は右側縁部よりも低くなっており、これにより遮蔽部(21)の上端が他のＣＰＣ型反射板(2)の両側縁部の上端と同一高さ位置に来るようになっている。遮蔽部(21)は右側反射板ユニット(5)における左端のＣＰＣ型反射板(2)の左側縁部上に乗っており、当該ＣＰＣ型反射板(2)の内側に突出しないようになっている。したがって、右側反射板ユニット(5)における左端のＣＰＣ型反射板(2)に、遮蔽部(21)の影ができることが防止される。
【００５１】
その他の構成は図１および図２に示す太陽熱集熱器(1)と同じであり、太陽熱集熱器(1)の場合と同様にして流体が加熱される。
【００５２】
なお、図４に示す太陽熱集熱器(20)において、隣り合う２つの反射板ユニット(5)の右側反射板ユニット(5)における左端のＣＰＣ型反射板(2)の左側縁部に、左側反射板ユニット(5)における右端のＣＰＣ型反射板(2)の右側縁部との間の隙間を遮蔽する遮蔽部が、全長にわたって一体に形成されていてもよい。
【００５３】
図５は、ＣＰＣ型反射板を備えた放射冷却器を示す。
【００５４】
図５に示す放射冷却器(30)の場合、保持フレーム(4)の上端開口は、透光性、耐候性および赤外線透過性を有する樹脂フィルム(31)により閉鎖されている。なお、樹脂フィルム(31)の代わりに、耐候性および赤外線透過性を有する板状体によって保持フレーム(4)の上端開口が閉鎖されていてもよい。また、各反射板ユニット(5)と底板(13)との間には断熱材が配置されていない。さらに、ＣＰＣ型反射板(2)の形状と流体流通管(3)の位置との関係は、流体流通管(3)から放射された赤外線が、ＣＰＣ型反射板(2)により、最も効率よく天空に向けて反射されるような関係となされている。その他の構成は、図１および図２に示す太陽熱集熱器(1)と同じである。
【００５５】
なお、図５に示す放射冷却器において、隣り合う２つの反射板ユニット(5)の左側反射板ユニット(5)における右端のＣＰＣ型反射板(2)の右側縁部、および右側反射板ユニット(5)における左端のＣＰＣ型反射板(2)の左側縁部のうちのいずれか一方に、両右側縁部間の隙間を遮蔽する遮蔽部が、全長にわたって一体に形成されていてもよい。
【００５６】
上述した放射冷却器(30)は、流体流通管(3)内に、水、不凍液、蒸気などからなりかつ外気温よりも高温の流体が流され、この高温流体の有する熱が流体流通管(3)からＣＰＣ型反射板(2)によって天空に向かって放射され、これにより高温流体が冷却されるようになっている。
【００５７】
図５に示す放射冷却器において、図１および図２に示す太陽熱集熱器の場合と同様に、底板(13)とすべての反射板ユニット(5)との間に断熱材が配置されていることがある。この場合、反射板ユニット(5)と樹脂フィルム(31)との間の空間および断熱材の働きによって、外気の熱が流体流通管(3)内を流れる流体に伝わることが抑制されるので、流体流通管(3)内に、水、不凍液などからなりかつ外気温よりも低温の流体が流されたとしても、この流体の有する熱が流体流通管(3)からＣＰＣ型反射板(2)によって天空に向かって放射され、これにより流体が冷却される。なお、この場合にも、外気温よりも恒温の流体の冷却を行うことは可能である。
【００５８】
上述した太陽熱集熱器および放射冷却器においては、複数のＣＰＣ型反射板が一体化されて反射板ユニットが形成され、反射板ユニットに脚部が設けられているが、これに限定されるものではなく、ＣＰＣ型反射板が一体化されず、各ＣＰＣ型反射板に脚部が設けられていてもよい。
【図面の簡単な説明】
【００５９】
【図１】この発明による太陽熱集熱器を示す一部切り欠き平面図である。
【図２】図１のII−II線拡大断面図である。
【図３】保持フレームへの反射板ユニットの取り付け方法を示す部分斜視図である。
【図４】太陽熱集熱器の他の実施形態を示す図２相当の図である。
【図５】この発明による放射冷却器を示す図２相当の図である。
【符号の説明】
【００６０】
(1)(20)：太陽熱集熱器
(2)：ＣＰＣ型反射板
(3)：流体流通管
(4)：保持フレーム
(5)：反射板ユニット
(6)：脚部
(7)：凸状係合部
(8)：ヘッダ管
(12)：透光板
(13)：底板
(16)：断熱材
(17)：保持部材
(18)：切り欠き
(19)：凹状係合部
(21)：遮蔽部
(30)：放射冷却器
(31)：フィルム
【図１】
2005114342.tif 000003
【図２】
2005114342.tif 000004
【図３】
2005114342.tif 000005
【図４】
2005114342.tif 000006
【図５】
2005114342.tif 000007